(57)【要約】  流体供給源から流体を装置に供給するためのアダプタが記載される。アダプタは入口付きのハウジングを有し、入口は流体供給源を装置に接続するためにハウジングを通って延在している。アダプタはまた、アダプタを装置に固定するラッチ構成要素も含む。アダプタはさらに、特定の磁石構成の埋め込まれた磁石を有するタブも含む。装置は特定の磁石構成を検出することができるセンサを有する。装置は他のアダプタに接続可能であり、アダプタの磁石構成に基づいて流体供給源を特定する。
2017522156.tif 000002
【特許請求の範囲】
【請求項１】
流体供給源から装置へ流体を供給するためのアダプタであって、
ハウジングと、
前記流体供給源を前記装置に接続するために前記ハウジングを通って延在する入口であって、前記流体供給源に接続するための第１の端部、及び前記装置に接続するための第２の端部を備える入口と、
前記アダプタを前記装置に固定するように構成されたラッチ構成要素と、
前記流体供給源を特定するための機械読み取り可能なインジケータであって、前記入口の前記第１の端部から離れる方向に、前記入口の前記第２の端部を越えて延在する機械読み取り可能なインジケータと
を備える、アダプタ。
【請求項２】
前記機械読み取り可能なインジケータが、磁石を含むタブを備え、前記タブ上の前記磁石の位置が前記流体供給源を標示する、請求項１に記載のアダプタ。
【請求項３】
前記タブが前記入口に平行に延在する、請求項２に記載のアダプタ。
【請求項４】
前記磁石が前記タブに埋め込まれている、請求項２に記載のアダプタ。
【請求項５】
前記ラッチ構成要素がねじ溝付きナットを備える、請求項１に記載のアダプタ。
【請求項６】
前記ハウジングが前記ねじ溝付きナットを保持するために少なくとも１つのピンを備える、請求項５に記載のアダプタ。
【請求項７】
前記ねじ溝付きナットが溝を備え、前記少なくとも１つのピンが前記溝に接触するように構成されている、請求項５に記載のアダプタ。
【請求項８】
前記ハウジングが第１の幅を有する第１の突出部及び第２の幅を有する第２の突出部を備え、前記第１の幅が前記第２の幅と異なり、前記アダプタが１つの方向で前記装置に接続するように、前記第１の突出部が前記装置の対応する第１のノッチに嵌合するように構成され、前記第２の突出部が前記装置の対応する第２のノッチに嵌合するように構成されている、請求項１に記載のアダプタ。
【請求項９】
ベンチレータ・ハウジングと、
前記ベンチレータ・ハウジング内にある流量制御装置と、
第１の取り外し可能なアダプタと
を備えるベンチレータであって、
前記第１の取り外し可能なアダプタが、
第１のアダプタ・ハウジングと、
前記第１のアダプタ・ハウジングを通して延在する第１の入口であって、第１の外部接続のための第１のアダプタ端部、及び前記流量制御装置に取り外し可能に接続するように構成された第１のコネクタ端部を備える第１の入口と、
前記第１の取り外し可能なアダプタを前記流量制御装置に固定するように構成された第１のラッチ構成要素と、
前記第１の外部接続を特定するための第１の機械読み取り可能なインジケータであって、前記第１の入口の前記第１のアダプタ端部から離れる方向に、前記第１の入口の前記第１のコネクタ端部を越えて延在する第１の機械読み取り可能なインジケータと
を備える、ベンチレータ。
【請求項１０】
前記第１の取り外し可能なアダプタが、前記ベンチレータ・ハウジングに係留されている、請求項９に記載のベンチレータ。
【請求項１１】
前記機械読み取り可能なインジケータが第１の磁石を含む第１のタブを備え、前記第１のタブ上の前記第１の磁石の位置が前記第１の外部接続を特定する、請求項９に記載のベンチレータ。
【請求項１２】
前記流量制御装置が、磁石の位置を検出するように構成されたセンサを備える、請求項１１に記載のベンチレータ。
【請求項１３】
前記第１のラッチ構成要素が第１のねじ溝付きナットを備える、請求項９に記載のベンチレータ。
【請求項１４】
前記流量制御装置が、前記第１のねじ溝付きナットと接触するように構成されたねじ溝付きコネクタを備える、請求項１３に記載のベンチレータ。
【請求項１５】
前記第１のアダプタ・ハウジングが、前記第１のねじ溝付きナットを保持するために少なくとも１つのピンを備える、請求項１３に記載のベンチレータ。
【請求項１６】
前記第１のねじ溝付きナットが溝を備え、前記少なくとも１つのピンが前記溝に接触するように構成されている、請求項１３に記載のベンチレータ。
【請求項１７】
前記第１のアダプタ・ハウジングが第１の幅を有する第１の突出部及び第２の幅を有する第２の突出部を備え、前記ねじ溝付きコネクタが前記第１の幅を有する第１のノッチ及び前記第２の幅を有する第２のノッチを備え、前記アダプタの１つの方向で前記第１の突出部が前記第１のノッチに嵌合し、前記第２の突出部が前記第２のノッチに嵌合するように、前記第１の幅が前記第２の幅と異なる、請求項１４に記載のベンチレータ。
【請求項１８】
第２の取り外し可能なアダプタをさらに備え、
前記第２の取り外し可能なアダプタが、
第２のアダプタ・ハウジングと、
前記第２のアダプタ・ハウジングを通して延在する第２の入口であって、第２の外部接続のための第２のアダプタ端部、及び前記流量制御装置に取り外し可能に接続するように構成された第２のコネクタ端部を備える第２の入口と、
前記第２の取り外し可能なアダプタを前記流量制御装置に固定するように構成された第２のラッチ構成要素と、
前記第２の外部接続を特定するための第２の機械読み取り可能なインジケータであって、前記第２の入口の前記第２のアダプタ端部から離れる方向に、前記第２の入口の前記第２のコネクタ端部を越えて延在する第２の機械読み取り可能なインジケータと
を備える、請求項９に記載のベンチレータ。
【請求項１９】
前記第１の機械読み取り可能なインジケータが、第１の磁石構成の１つ又は複数の磁石を含む第１のタブを備え、前記第２の機械読み取り可能なインジケータが、前記第１の磁石構成と異なる第２の磁石構成の１つ又は複数の磁石を含む第２のタブを備える、請求項１８に記載のベンチレータ。
【請求項２０】
装置に流体を供給するためのアダプタであって、
ハウジングと、
流体供給源を前記装置に接続するために前記ハウジングを通って延在する入口であって、前記流体供給源に接続するための第１の端部、及び前記装置に接続するための第２の端部を備える入口と、
前記アダプタを前記装置に固定するように構成されたラッチ構成要素と、
磁石構成に配置された１つ又は複数の埋め込まれた磁石を含むタブと
を備える、アダプタ。
【発明の詳細な説明】
【技術分野】
【０００１】
本出願は、「ＦＬＵＩＤ  ＩＮＬＥＴ  ＡＤＡＰＴＥＲ」と題する、２０１３年６月２８日に出願された代理人整理番号０８０６２５−０４２７の米国特許出願第１３／９３１４９６号の一部継続出願であり、その全体が引用により本明細書に組み込まれる。
【０００２】
本開示は、一般に流体入口ポートに関し、具体的には異なるコネクタを有する２つの供給源のどちらかから流体を受容することのできる設定変更可能なアダプタに関する。
【背景技術】
【０００３】
慢性呼吸不全などの呼吸障害（ｒｅｓｐｉｒａｔｏｒｙ  ｉｎｊｕｒｙ）を患う患者は、患者の呼吸を補助するための、又は深刻な事例では呼吸機能の全体に取って代わるためのベンチレータ又は人工呼吸器の提供を受ける場合がある。人工呼吸器は通常、吸入インターバル中は空気又は他の呼吸ガスの圧力を高めて供給し、その後の吐出インターバルでは患者の肺の中の空気が自然に排出されるように、加圧された空気は迂回される。
【０００４】
従来技術の人工呼吸器は、例えば「純粋酸素」又は「ヘリオックス８０／２０」（ヘリウム８０％、酸素２０％の混合物）などの１つ又は複数の呼吸ガスを外部供給源から受容するように構成される場合がある。供給されるガスに合わせて人工呼吸器を設定することが重要であり、例えば、希釈せずに患者に提供される純粋ヘリオックスの供給源への接続に比較すると、酸素富化空気を患者に供給するためには純酸素の供給源に接続して加圧空気と混合する。従来技術の人工呼吸器は、供給されるガスを手動で特定することが必要な場合があるので、実際に供給されているガスをユーザが正しく特定できないことがあるという危険を伴う。
【発明の概要】
【課題を解決するための手段】
【０００５】
本開示の流体入口アダプタは、考えられる２つの流体のうち同時に１つのみを受容するように構成され得、現在どちらの流体が受容されているかに関する機械読み取り可能な標示を提供することができる流体入口を提供する。
【０００６】
一定の実施例では、流体供給源から装置に流体を供給するためのアダプタが開示される。アダプタはハウジング及び、流体供給源を装置に接続するためにハウジングを通って延在する入口を備える。入口は、流体供給源に接続するための第１の端部及び装置に接続するための第２の端部を備える。アダプタは、アダプタを装置に固定するように構成されたラッチ構成要素及び、流体供給源を特定するための機械読み取り可能なインジケータを備える。機械読み取り可能なインジケータは入口の第１の端部から離れ、入口の第２の端部を越えて延在する。
【０００７】
特定の実施例では、ベンチレータが開示される。ベンチレータは、ベンチレータ・ハウジング、ベンチレータ・ハウジング内の流量制御装置、及び第１の取り外し可能なアダプタを備える。第１の取り外し可能なアダプタは、第１のアダプタ・ハウジング、及び第１のアダプタ・ハウジングを通して延在する第１の入口を備える。第１の入口は、第１の外部接続のための第１のアダプタ端部、及び流量制御装置に取り外し可能に接続するための第１のコネクタ端部を備える。第１の取り外し可能なアダプタはさらに、第１のアダプタを流量制御装置に固定するように構成された第１のラッチ構成要素、及び第１の外部接続を特定するための第１の機械読み取り可能なインジケータを備える。第１の機械読み取り可能なインジケータは、第１の入口の第１のアダプタ端部から離れる方向に、第１の入口の第１のコネクタ端部を越えて延在する。
【０００８】
特定の実施例では、装置に流体を供給するためのアダプタが開示される。アダプタは、ハウジング、及び流体供給源を装置に接続するためにハウジングを通って延在する入口を備える。入口は、流体供給源に接続するための第１の端部、及び装置に接続するための第２の端部を備える。アダプタはさらに、アダプタを装置に固定するように構成されたラッチ構成要素、及び磁石構成に配置された１つ又は複数の埋め込まれた磁石を有するタブを含む。
【０００９】
特定の実施例では、複数の流体供給源の１つから装置に選択的に流体を供給するためのアダプタが開示される。アダプタは、本体、複数の流体供給源のうち第１の１つを装置に接続するための第１の入口、及び複数の流体供給源のうち第２の１つを装置に接続するための第２の入口を含む。第１及び第２の入口はそれぞれ、本体に結合されている。アダプタはまた、移動可能に本体に結合され、アクセス制御要素を備えるハンドルも含む。ハンドルは、アダプタが第１の位置と、第１の構成に対して１８０°回転した第２の位置のどちらかにあるときに、本体を装置に固定するように構成される。アダプタが第１の位置で装置に固定されているときは、アクセス制御要素は第２の入口へのアクセスを妨げ、アダプタが第２の位置で装置に固定されているときは、アクセス制御要素は第１の入口へのアクセスを妨げる。
【００１０】
特定の実施例では、流体経路及びアダプタを備えるハウジングを有するベンチレータが開示され、アダプタは、本体、複数の流体供給源のうち第１の１つを装置に接続するための第１の入口、及び複数の流体供給源のうち第２の１つを装置に接続するために第２の入口を含む。第１及び第２の入口はそれぞれ、本体に結合されている。アダプタはまた、移動可能に本体に結合され、アクセス制御要素を備えるハンドルも含む。ハンドルは、アダプタが第１の位置と、第１の構成に対して１８０°回転した第２の位置のどちらかにあるときに、本体を装置に固定するように構成される。アダプタが第１の位置で装置に固定されているときは、アクセス制御要素は第２の入口へのアクセスを妨げ、アダプタが第２の位置で装置に固定されているときは、アクセス制御要素は第１の入口へのアクセスを妨げる。
【００１１】
特定の実施例では方法が開示され、この方法は、ベンチレータが第１の混合ガスを受容するように構成することが望ましいときの第１の構成、又は、ベンチレータが第２の混合ガスを受容するように構成することが望ましいときの、第１の構成に対して１８０°回転された第２の構成のいずれかで、ベンチレータのハウジングに対してアダプタを方向付けるステップを含むことが開示される。方法はまた、アダプタが第１の構成で方向付けられているときには第１の入口がハウジングの流体経路と流体連通するように、アダプタが第２の構成で方向付けられているときには第２の入口がハウジングの流体経路と流体連通するように、アダプタをベンチレータのドッキング場所に係合させるステップも含む。方法はまた、ハンドルを起動させてアダプタをハウジングに固定するステップも含み、ハンドルはアクセス制御要素を備え、アクセス制御要素は、アダプタが第１の構成でハウジングに固定されているときは第２の入口へのアクセスを妨げ、アダプタが第２の構成でハウジングに固定されているときは第１の入口へのアクセスを妨げる。方法はまた、機械検出可能なインジケータの場所をベンチレータのセンサで自動的に検知するステップも含み、このインジケータは、アダプタが第１の構成でハウジングに固定されているときはハウジングに対して第１の場所に配置され、アダプタが第２の構成でハウジングに固定されているときは第１の場所とは異なる第２の場所に配置される。
【００１２】
理解を深めるのを可能にするために包含され、本明細書の一部分に組み込まれて本明細書の一部分を構成する添付図面が、開示される実施例の原理を説明する働きをする本記述と一体となって、開示される実施例を例示する。
【図面の簡単な説明】
【００１３】
【図１】本開示の特定の態様による例示の流体入口アダプタの前面斜視図である。
【図２】本開示の特定の態様による例示の流体入口アダプタの背面斜視図である。
【図３Ａ】本開示の特定の態様による例示の流体入口アダプタ及び装置の側面断面図である。
【図３Ｂ】本開示の特定の態様による、ハウジングのドッキング箇所に嵌合した図３Ａの例示の流体入口アダプタの側面断面図である。
【図４Ａ】本開示の特定の態様による例示のラッチ解除位置にあるハンドルの位置を示す図である。
【図４Ｂ】本開示の特定の態様による例示のラッチ位置にあるハンドルの位置を示す図である。
【図５】本開示の特定の態様による、２つの異なる供給源からの流体を受容するように構成された例示の入口アダプタを示す図である。
【図６】本開示の特定の態様による、２つの異なる供給源からの流体を受容するように構成された例示の入口アダプタを示す図である。
【図７】本開示の特定の態様による例示のコネクタ構成を示す図である。
【図８】本開示の特定の態様による例示のコネクタ構成を示す図である。
【図９】本開示の特定の態様による例示のコネクタ構成を示す図である。
【図１０】本開示の特定の態様による例示のコネクタ構成を示す図である。
【図１１】本開示の特定の態様による、１つの入口を有するアダプタを示す図である。
【図１２】本開示の特定の態様による、様々な機械読み取り可能インジケータ及び流量制御装置を有するアダプタを示す図である。
【図１３】本開示の特定の態様による、流量制御装置に結合されたアダプタを示す図である。
【図１４】本開示の特定の態様による、アダプタ及びコネクタの前面図である。
【図１５】本開示の特定の態様による、アダプタ及び流量制御装置の前面図である。
【発明を実施するための形態】
【００１４】
２つの考え得る流体のうち１つだけを同時に受容して、どちらの流体が現在受容されているかについての機械読み取り可能な標示を提供するように構成可能な流体入口を提供することは有利である。
【００１５】
下記の詳細な説明に、本開示の完全な理解を提供するために多数の具体的詳細が明記されている。しかし、本開示の実施例が特定の細部のうちのいくつかの細部を用いずに実施され得ることが当業者には明白であろう。他の例では、本開示を不明瞭にしないために、よく知られている構造及び技術を示していない。参照する図面では、同様の参照符号を付される要素は同じであるか又は実質的に同様である。
【００１６】
本明細書の解説は医療環境でベンチレータに酸素及びヘリオックスを供給することに向けられているが、本明細書に開示される方法及び概念の適用例は、この適用例又は分野に限定されない。本発明の入口アダプタが、例えば化学処理などの、複数タイプの流体を入力として使用する他の分野及び適用例に利用されてもよいことは当業者には明らかである。
【００１７】
図１、図２は本開示の特定の態様による例示の流体入口アダプタ１００の前面及び背面の斜視図である。図１の流体入口アダプタ１００は本明細書では「アダプタ１００」とも呼ばれ、２つの異なる流体供給源に接続されたコネクタ２０、３０にそれぞれ嵌合するように構成された２つの入口１２０、１３０を有する本体１１０を備える。一定の実施例では、２つのコネクタ２０及び３０は異なる構成を備えてもよく、それらの構成は、ねじ、キーなどの有無、形状などの属性を含む。図７〜図１０に、コネクタ構成の実例が示されている。ハンドル１４０が本体１１０に移動可能に結合され、アクセス制御要素１４２を備えている。一定の実施例では、アクセス制御要素１４２はシャフト１４１から延在する仕切り板であり、この実例ではシャフトは本体１１０に対して垂直である。図１ではハンドル１４０はラッチ位置に示されており、アクセス制御要素１４２が入口１３０の前にあって、それにより、ユーザがコネクタ３０を入口１３０に接続できないようにする。一定の実施例では、アクセス制御要素１４２は入口１３０の前に配置される。一定の実施例では、アクセス制御要素１４２は、例えば入口１３０の側面に隣接するなど入口１３０に近接して配置され、入口１３０へのコネクタ３０の取り付けを妨害して、アダプタ１００が図１に示される位置にあるときに入口１３０への接続を実質的に防止する。アダプタ１００がこの位置にあるとき、入口１２０には完全に手が届き、ユーザはコネクタ２０を入口１２０に接続することができる。本体１１０は、コネクタ２０、３０のピン、支柱、又はその他の固定機構（図１Ａに示されず）を係合させる１つ又は複数の固定穴１１１を含んでもよい。
【００１８】
図２は、アダプタ１００の背面を示す。本体１１０に対して中央面１０１が画定され、本体１１０を二分する。中央面１０１に中心を置く本体１１０から整列機構１１２が延在する。同一形状の２つのポート１１６が本体１１０に結合され、中央面１０１の両側に対称に配置されている。アダプタ１００は、図２に示される第１の位置及び、第１の位置から鏡映面に関して１８０°回転された第２の位置を有する。アダプタ１００の位置については、図５及び図６に関してさらに詳細に説明する。アダプタ１００は、本体１１０の背面の中央面１０１の両側に対称に置かれた第１及び第２の結合ポート１１６もまた備える。第１及び第２の結合ポート１１６は、第１及び第２の入口１２０、１３０とそれぞれ流体連通している。一定の実施例では、結合ポート１１６はそれぞれ第１及び第２の入口１２０、１３０に整列されてもよい。一定の実施例では、結合ポート１１６はそれぞれ第１及び第２の入口１２０、１３０からオフセットされてもよい。
【００１９】
図２を参照すると、ハンドル１４０は、例えば整列機構１１２の中に形成された細孔１１４などの固定機構内に配置されたラッチ・ピン１４４を備える。ラッチ・ピン１４４は、この実例では、本体１１０の底部を越えて延在するシャフト１４１の部分から外向きに延在する。ピン・ラッチ１４４の機能及びハンドル１４０がアダプタ１００を、例えばベンチレータ（図示せず）などの装置に固定する方法については、図４Ａ及び図４Ｂに関してさらに詳細に説明する。
【００２０】
図３Ａは、本開示の特定の態様による例示の流体入口アダプタ１００及び装置１０の側面断面図である。装置１０はハウジング５２を有し、ハウジングは、この実例では整列機構１１２を受容するように構成された整列細孔６６を有するドッキング・ステーション５０をもつ。この実例では、整列細孔６６に隣接して、ハンドル１４０の端部を受容するように構成された凹所６２がある。凹所６２から横方向にラッチ細孔６４が延在し、図４Ａ及び図４Ｂに関してさらに詳細に説明するように、整列機構１１２からピンが延在するようにハンドル１４０が回転したときにピン１４４を係合するように構成される。
【００２１】
ハウジング５２は流体の流れを受容するように構成された流体通路８０を備える。一定の実施例では装置１０はベンチレータであり、流体通路８０は送風機（図示せず）に接続し、送風機は流体通路８０から患者へ流体を注入するが、その様式は当業者には一般に知られており、本明細書では繰り返し説明しない。流体通路８０は、アダプタ１００が装置１０に第１又は第２の位置で固定されたときに、結合ポート１１６のうち１つが少なくとも部分的に流体通路８０内に配置されるように整列細孔６６に対して位置する。図３Ａは、第１の位置でドッキング・ステーション５０に固定されたアダプタ例１００を示し、入口１２０と流体連通している結合ポート１１６もまた、少なくとも部分的には流体通路８０内に配置され、且つそれと流体連通している。第２の位置では（図３Ａに示さず）、アダプタ１００は図３Ａに示される位置と上下が逆になり、入口１３０と流体連通している結合ポート１１６も同じく、少なくとも部分的に流体通路８０内に配置され、且つそれと流体連通するようになる。一定の実施例では、結合ポート１１６は、例えばＯリングなどの、取り外し可能で、密封性に流体通路８０と嵌合するように構成される密封機構１１８を有してもよい。ハウジングは使用されていない結合ポート１１６を受容する止り穴５４も含む。ドッキング箇所５０は、本体１１０の前面がハウジング５２とぴったり重なるように本体１１０を受容するように構成された凹所５６を有してもよい。一定の実施例では、ドッキング箇所５０は、固定穴１１１の下に位置する凹所７０もまた有してもよい。凹所７０は嵌合コネクタのキー機構のためのクリアランスを提供してもよいし、又は、保持機能を提供してもよい。
【００２２】
図３Ｂは本開示の特定の態様による、図３Ａのハウジング５２のドッキング箇所５０に嵌合した例示のアダプタ１００の側面断面図である。下側結合ポート１１６は流体通路８０内に部分的に配置され、上側結合ポート１１６は止り穴５４内に部分的に配置されている。
【００２３】
図４Ａ及び図４Ｂは、本開示の特定の態様による例示のラッチ解除位置及びラッチ位置にあるハンドル１４０の位置を示す。図４Ａは「ラッチ解除」位置にあるときのハンドル１４０の位置を示し、整列機構１１２をドッキング・ステーション５０の整列細孔６６に挿入するために適した位置である。ピン１４４は整列細孔６６に干渉しないように、全体が細孔１１４内に入っている。アダプタ１００が完全にドッキング・ステーション５０に装着されると、ハンドル１４０を図４Ｂに示される位置に回すことができる。
【００２４】
図４Ｂは、ピン１４４をラッチ細孔６４に係合させるようにハンドル１４０が回転された「ラッチ」位置を示す。ハンドル１４０がこの位置にあるときは、アクセス制御要素１４２が入口１３０の前に配置され、それにより入口１３０へのコネクタ３０の接続ができないように入口１３０へのアクセスが妨げられ、一方でアダプタ１００がこの位置で装置１０に固定される。
【００２５】
図５及び図６は、本開示の特定の態様による、２つの異なる供給源２０、３０からの流体を受容するように構成された例示の入口アダプタ１００を示す。図５は入口１２０がコネクタ２０（図５に示さず）を許容できるようにする一方で入口１３０への接続を阻止するように構成されたアダプタ１００を示す。機械検出可能なインジケータ１５０が第１の位置、例えば整列機構１１２の手前側に位置していることが分かる。
【００２６】
図６は、方向が逆転され、入口１３０がコネクタ３０（図６に示さず）を受容できるようにする一方で入口１２０への接続を阻止するように構成されたアダプタ１００を示す。アダプタ１００が図５の位置とは逆のこの位置に配置されているときは、機械検出可能なインジケータ１５０は第２の位置、例えば整列機構１１２の向こう側に位置し、これもまた図５とは逆であることが分かる。
【００２７】
図５及び図６の機械検出可能なインジケータ１５０の位置に関して、装置５０は、図５の位置にあるセンサの存在を検出するように位置する第１のセンサ（図５に示さず）及び、図６の位置にあるセンサの存在を検出するように位置する第２のセンサを有してもよい。２つのセンサの使用によって、アダプタ１００の位置の能動的標示が、したがって、どちらのガスが供給されているかの能動的標示が与えられることが可能である。
【００２８】
図７〜図１０は、本開示の特定の態様による例示のコネクタ構成を示す図である。アダプタ１００はこれらのタイプのコネクタのうち１つを受容するように構成された入口を備えてもよい。図７は「Ｏｈｍｅｄａ（オメダ）式」ガス接続２００を示し、ガスに特定されるコネクタの構成は、出口面２１０上の１つ又は複数のノッチ２２０及びアダプタ上のピン２３０によって行われる。ノッチ２２０及びピン２３０の位置及び／又はサイズは、必要なガスに基づいて変化してもよい。
【００２９】
図８は、「Ｃｈｅｍｅｔｒｏｎ（ケメトロン）式」ガス接続３００を示し、ガスに特定されるコネクタの構成は、出口面上のラッチ穴３２０、及び凹所３４０と嵌合する整列タブ３３０の位置並びに形状によって行われる。ラッチ穴３２０の位置及び形状は、必要なガスに基づいて変化する。
【００３０】
図９は、「直径別安全システム（ＤＩＳＳ）式」ガス接続４００を示し、ガスに特定されるコネクタの構成は、バレル４１０上に配置された、ガスに特定されるねじによって行われる。ねじの直径及びアダプタのニップルのサイズは、必要なガスに基づいて変化してもよい。
【００３１】
図１０は「Ｓｃｈｒａｄｅｒ（シュレーダ）式」ガス接続５００を示し、ガスに特定されるコネクタの構成は幾何インデクシングによって行われる。つまり、バレル５１０の形状及びサイズが各ガスについて固有である。
【００３２】
開示される入口アダプタの実施例は、ガスの考えられる様々な種類のうち１つだけを受容するようにベンチレータなどの装置を構成する信頼性のある方法を提供することが分かる。開示されるアダプタの実施例は２つの入口を有し、１つの入口からガスを受容しながら他方の入口を閉塞するが、アダプタのその他の実施例は３つ以上の入口を有してもよく、３つ以上の入口のうち２つ以上からガスを受容するように構成されてもよい。加えて、本明細書で磁石として開示されている機械検出可能なインジケータは任意の機械読み取り可能な要素でもよく、例えばアダプタが一定の位置に構成されているときにカメラ又はスキャナによって読み取られる位置にあるバーコード又は２次元行列などでもよい。
【００３３】
図１１〜図１５は、１つの入口を有するアダプタの実装形態を示す。図１１はアダプタ１１００を示す。アダプタ１１００は、ハウジング１１０５、ハウジング１１０５を通って延在する入口１１０１、機械検出可能又は機械読み取り可能なインジケータ１１２０、及びラッチ構成要素１１１０を有する。入口１１０１は、特定の流体供給源に接続するための第１の端部１１０２及び、流量制御装置１２００（図１２参照）に接続するためのコネクタ１１０３を有し、流体制御装置はフロー・カセット又はその他のバルブ・システムでもよい。ラッチ構成要素１１１０は、手で締め付けることのできるねじ溝付きナットでもよく、流量制御装置１２００のねじ溝付きコネクタ１２１０と接触するように構成される。ラッチ構成要素１１１０は溝１１１２を含む。機械読み取り可能なインジケータ１１２０は、磁石位置１１２２Ａ、１１２２Ｂ、１１２２Ｃ、及び１１２２Ｄを含むタブでもよく、このタブは磁石構成１１２５に１つ又は複数の磁石を保持してもよい。いくつかの実施例では、１つ又は複数の磁石位置１１２２Ａ、１１２２Ｂ、１１２２Ｃ、及び１１２２Ｄは磁石を保持しなくてもよい。磁石位置１１２２Ａ〜Ｄは線形配置であるが、その他の実装形態ではその他の配置が使用されてもよい。
【００３４】
図１２は別のアダプタ１３００を示す。アダプタ１１０１は磁石構成１１２６を有し、この構成では磁石位置１１２２Ｂ及び１１２２Ｃに磁石があってもよい。磁石は機械読み取り可能なインジケータ１１２０内に埋め込まれていてもよい。これも図１２に示されるように、アダプタ１４００は磁石構成１１２７を有し、この構成では磁石位置１１２２Ｂ及び１１２２Ｄに磁石があってもよい。
【００３５】
磁石構成は流量制御装置１２００のセンサ１２２０によって検出されてもよい。センサ１２２０は磁石センサ１２２２Ａ、１２２２Ｂ、１２２２Ｃ、及び１２２２Ｄを含んでもよく、これらのセンサは磁石位置１１２２Ａ〜Ｄに対応してもよい。図１３は流量制御装置１２００に接続されたアダプタ１１００を示し、ラッチ構成要素１１１０を締め付けることによって固定されてもよい。センサ１２２０は機械読み取り可能なインジケータ１１２０に整列する。センサ１２２０はアダプタの磁石構成を検出するように構成される。磁石構成は特定の流体供給源に対応する。例えば、磁石構成１１２６がヘリオックスに対応してもよく、磁石構成１１２７が酸素に対応してもよい。入口１１０１は対応する流体供給源への接続のために構成されてもよい。磁石構成を検出することによって、流量制御装置１２００は流量制御装置１２００内を通過する流体を特定することができる。
【００３６】
図１４はラッチ構成要素１１１０を除いたアダプタ１１００を示す。ハウジング１１０５は第１の突出部１１０６及び第２の突出部１１０７を含む。ハウジング１１０５は第１のピン１１１６及び第２のピン１１１８もまた含む。第１及び第２のピン１１１６及び１１１８はラッチ構成要素１１１０の溝１１１２と接触するように構成され、ラッチ構成要素１１１０がハウジング１１０５と離れることなく自由に回転できるようにする。ねじ溝付きコネクタ１２１０は第１のノッチ１２１２及び第２のノッチ１２１４を含む。
【００３７】
図１５はアダプタ１１００及び流量制御装置１２００をさらに示す。第１の突出部１１０６の第１の幅１１０８は第１のノッチ１２１２の第１の幅１２１３に相当する。第２の突出部１１０７の第２の幅１１０９は第２のノッチ１２１４の第２の幅１２１５に相当する。第１の突出部１１０６は第１のノッチ１２１２に嵌合するように構成され、第２の突出部１１０７は第２のノッチ１２１４に嵌合するように構成されている。第１及び第２の幅が異なるので、アダプタ１１００はねじ溝付きコネクタ１２１０に１つの方向にのみ嵌合することができ、誤挿入が緩和される。加えて、センサ１２２０が機械読み取り可能なインジケータ１１２０を検出できるように、入口１１０１と機械読み取り可能なインジケータ１１２０との間の距離１１０４はねじ溝付きコネクタ１２１０とセンサ１２２０との間の距離１２２１に相当する。ラッチ構成要素１１１０が完全に締め付けられているとき、機械読み取り可能なインジケータ１１２０はセンサ１２２０に適切に整列されてもよい。機械読み取り可能なインジケータ１１２０がセンサ１２２０によって適切に検出されないとき、又は、磁石構成が知られていないとき（例えば、磁石が欠損しているか、間違った磁石位置にある）は、アラーム状態が発生してもよい。加えて、アダプタ１１００が適切又は完全に接続されていないときは、加圧されたガスが漏れ、オペレータに対する通知音が発生することがある。
【００３８】
例えば、コネクタ１１０３の長さは、コネクタ１１０３が接続されるときに、ねじ溝付きコネクタ１２１０の経路沿いの中間地点で流量制御装置１２００と流体連通するように構成されてもよい。コネクタ１１０３の長さは、ラッチ構成要素１１１０が完全に係合していないときでも流体連通が存在し得るような長さである。アダプタ１１００を、例えばラッチ構成要素１１１０を解除するなどによって取り外すとヒス音が発生して、供給を止めなければならないこと、及び／又は、アダプタ１１００を供給源から完全に取り外して不適切な取り外し手順に関連する問題を制限すべきであることがオペレータに通知されてもよい。
【００３９】
複数のアダプタ１１００を使用することにより、考えられる流体供給源のそれぞれに対して流量制御装置をもつのではなく、単一の流量制御装置１２００を各種の流体供給源に接続することが可能になる。流量制御装置の数を減少させることによってベンチレータのサイズが縮小され得る。アダプタの誤配置を防ぐために、複数のアダプタがベンチレータに係留されてもよい。
【００４０】
前の説明は、本明細書で説明される種々の態様を当業者によって実施するのを可能にするために提示されるものである。上記は最良の形態とみなされるもの及び／又は他の実例を説明してきたが、これらの態様に対する種々の修正形態が当業者には容易に明らかになること、及び、本明細書で定義される一般的な原理が他の態様にも適用され得ることを理解されたい。したがって、特許請求の範囲は本明細書で示される態様のみに限定されることを意図されず、特許請求の範囲の文言に一致する全範囲が与えられ、ここでは、要素を単数形で参照することは、特に明記しない限り、「１つのみ」を意味することを意図されず、「１つ又は複数」を意味することを意図される。特に明記しない限り、「１組の」及び「いくつかの」という用語は１つ又は複数を意味する。男性形の代名詞（例えば、彼の）には女性及び中性の性（例えば、彼女の及びその）も含まれ、逆も同様である。「含む」、「有する」などの用語が説明又は特許請求の範囲で使用される限りにおいて、そのような用語は、請求項でつなぎ言葉として「備える」が使用されたときの「備える」という語の解釈と同様に、非排他的であると意図される。
【００４１】
開示されるプロセス内でのステップの特定の順序又は階層は例示の手法を説明するものであることを理解されたい。デザインの好みに基づき、プロセス内でのステップの特定の順序又は階層が再構成され得ることを理解されたい。ステップのうちのいくつかのステップが同時に実施されてもよい。付随の方法の請求項は種々のステップの要素をサンプルの順序で提示しており、提示される特定の順序又は階層のみに限定されることを意味しない。
【００４２】
本開示で使用される場合の「頂部」、「底部」、「前方」及び「後方」などの用語は、通常の重力基準系（ｇｒａｖｉｔａｔｉｏｎａｌ  ｆｒａｍｅ  ｏｆ  ｒｅｆｅｒｅｎｃｅ）を参照するものではなく、任意の基準系を参照するものとして理解されるべきである。したがって、頂表面、底表面、前方表面及び後方表面は、重力基準系において、上方、下方、斜め方向又は水平方向に延在してよい。
【００４３】
「態様」などのフレーズは、これらの態様が本主題のテクノロジのために必要であること又はこれらの態様が本主題のテクノロジのすべての構成に適用されることを暗に意味するわけではない。一態様に関連する開示は、すべての構成に適用されても１つ又は複数の構成に適用されてもよい。一態様というフレーズは１つ又は複数の態様を意味していてよく、逆も同様である。「実施例」などのフレーズは、これらの実施例が本主題のテクノロジに必要であること又はこれらの実施例が本主題のテクノロジのすべての構成に適用されることを暗に意味するわけではない。一実施例に関連する開示は、すべての実施例に適用されても１つ又は複数の実施例に適用されてもよい。一実施例というフレーズは１つ又は複数の実施例を意味してよく、逆も同様である。
【００４４】
「例示」という単語は、本明細書では、「実例又は例示の役割をする」ことを意味する。「例示」として本明細書で説明される任意の態様又はデザインは、他の態様又はデザインと比較して好適又は有利であると必ずしも解釈されない。
【００４５】
その開示が特許請求の範囲に明確に記載されているかどうかに関わらず、本明細書で開示されるものは公共に与えられることを一切意図されない。要素が「のための手段」というフレーズを使用して明示的に記載されない限り、又は方法の請求項の場合は要素が「のためのステップ」というフレーズを使用して記載されない限り、いかなる請求項の要素も３５ＵＳＣ１１２条、第６パラグラフの規定で解釈されない。
【００４６】
本開示を通して説明される様々な要素の、当業者に知られているか又は後に知られるようになる、構造的及び機能的な等価物はすべて、参照によって本明細書に明示的に組み込まれ、特許請求の範囲に包含されることが意図される。
【００４７】
本明細書は本主題の技術の態様実例について説明し、それらは少なくとも下記の概念を含んでもよい。
【００４８】
概念１。流体供給源から装置へ流体を供給するためのアダプタであって、ハウジングと、流体供給源を装置に接続するためにハウジングを通って延在する入口であって、流体供給源に接続するための第１の端部、及び装置に接続するための第２の端部を備える入口と、アダプタを装置に固定するように構成されたラッチ構成要素と、流体供給源を特定するための機械読み取り可能なインジケータであって、入口の第１の端部から離れる方向に、入口の第２の端部を越えて延在するインジケータとを備える、アダプタ。
【００４９】
概念２。機械読み取り可能なインジケータが、磁石を有するタブを備え、タブ上の磁石の位置が流体供給源を標示する、概念１のアダプタ。
【００５０】
概念３。タブが入口に平行に延在する、概念２のアダプタ。
【００５１】
概念４。磁石がタブに埋め込まれている、概念２のアダプタ。
【００５２】
概念５。ラッチ構成要素がねじ溝付きナットを備える、概念１のアダプタ。
【００５３】
概念６。ハウジングがねじ溝付きナットを保持するために少なくとも１つのピンを備える、概念５のアダプタ。
【００５４】
概念７。ねじ溝付きナットが溝を備え、少なくとも１つのピンが溝に接触するように構成される、概念５のアダプタ。
【００５５】
概念８。ハウジングが第１の幅を有する第１の突出部及び第２の幅を有する第２の突出部を備え、第１の幅が第２の幅と異なり、アダプタが１つの方向で装置に接続するように、第１の突出部が装置の対応する第１のノッチに嵌合し、第２の突出部が装置の対応する第２のノッチに嵌合するよう構成される、概念１のアダプタ。
【００５６】
概念９。ベンチレータであって、ベンチレータ・ハウジングと、ベンチレータ・ハウジング内にある流量制御装置と、第１の取り外し可能なアダプタとを備え、第１の取り外し可能なアダプタが、第１のアダプタ・ハウジングと、第１のアダプタ・ハウジングを通して延在する第１の入口であって、第１の外部接続のための第１のアダプタ端部、及び流量制御装置に取り外し可能に接続するように構成された第１のコネクタ端部とを備える第１の入口と、第１のアダプタを流量制御装置に固定するように構成された第１のラッチ構成要素と、第１の外部接続を特定するための第１の機械読み取り可能なインジケータであって、第１の入口の第１のアダプタ端部から離れる方向に、第１の入口の第１のコネクタ端部を越えて延在する第１の機械読み取り可能なインジケータとを備える、ベンチレータ。
【００５７】
概念１０。第１の取り外し可能なアダプタがベンチレータ・ハウジングに係留されている、概念９のベンチレータ。
【００５８】
概念１１。機械読み取り可能なインジケータが第１の磁石を有する第１のタブを備え、第１のタブ上の第１の磁石の位置が第１の外部接続を特定する、概念９のベンチレータ。
【００５９】
概念１２。流量制御装置が、磁石の位置を検出するように構成されたセンサを備える、概念１１のベンチレータ。
【００６０】
概念１３。第１のラッチ構成要素が第１のねじ溝付きナットを備える、概念９のベンチレータ。
【００６１】
概念１４。流量制御装置が、第１のねじ溝付きナットと接触するように構成されたねじ溝付きコネクタを備える、概念１３のベンチレータ。
【００６２】
概念１５。第１のアダプタ・ハウジングが第１のねじ溝付きナットを保持するために少なくとも１つのピンを備える、概念１３のベンチレータ。
【００６３】
概念１６。ねじ溝付きナットが溝を備え、少なくとも１つのピンが溝に接触するように構成される、概念１３のベンチレータ。
【００６４】
概念１７。第１のアダプタ・ハウジングが、第１の幅を有する第１の突出部及び第２の幅を有する第２の突出部を備え、ねじ溝付きコネクタが、第１の幅を有する第１のノッチ及び第２の幅を有する第２のノッチを備え、アダプタの１つの方向で第１の突出部が第１のノッチに嵌合し、第２の突出部が第２のノッチに嵌合するように、第１の幅が第２の幅と異なる、概念１４のベンチレータ。
【００６５】
概念１８。第２の取り外し可能なアダプタをさらに備え、第２の取り外し可能なアダプタが、第２のアダプタ・ハウジングと、第２のアダプタ・ハウジングを通して延在する第２の入口であって、第２の外部接続のための第２のアダプタ端部及び、流量制御装置に取り外し可能に接続するように構成された第２のコネクタ端部とを備える第２の入口と、
第２のアダプタを流量制御装置に固定するように構成された第２のラッチ構成要素と、第２の外部接続を特定するための第２の機械読み取り可能なインジケータであって、第２の入口の第２のアダプタ端部から離れる方向に、第２の入口の第２のコネクタ端部を越えて延在する第２の機械委読み取り可能なインジケータとを備える、概念９のベンチレータ。
【００６６】
概念１９。第１の機械読み取り可能なインジケータが、第１の磁石構成の１つ又は複数の磁石を有する第１のタブを備え、第２の機械読み取り可能なインジケータが、第１の磁石構成と異なる第２の磁石構成の１つ又は複数の磁石を有する第２のタブを備える、概念１８のベンチレータ。
【００６７】
概念２０。装置に流体を供給するためのアダプタであって、ハウジングと、流体供給源を装置に接続するためにハウジングを通って延在する入口であって、流体供給源に接続するための第１の端部、及び装置に接続するための第２の端部を備える入口と、アダプタを装置に固定するように構成されたラッチ構成要素と、磁石構成に配置された１つ又は複数の埋め込まれた磁石を有するタブとを備える、アダプタ。
【図１】
2017522156.tif 000003
【図２】
2017522156.tif 000004
【図３Ａ】
2017522156.tif 000005
【図３Ｂ】
2017522156.tif 000006
【図４Ａ】
2017522156.tif 000007
【図４Ｂ】
2017522156.tif 000008
【図５】
2017522156.tif 000009
【図６】
2017522156.tif 000010
【図７】
2017522156.tif 000011
【図８】
2017522156.tif 000012
【図９】
2017522156.tif 000013
【図１０】
2017522156.tif 000014
【図１１】
2017522156.tif 000015
【図１２】
2017522156.tif 000016
【図１３】
2017522156.tif 000017
【図１４】
2017522156.tif 000018
【図１５】
2017522156.tif 000019
【国際調査報告】
2017522156.tif 000020
2017522156.tif 000021
2017522156.tif 000022
2017522156.tif 000023
2017522156.tif 000024